(57)【特許請求の範囲】
【請求項１】
光ディスクを装着するターンテーブルを回転駆動するスピンドルモータと、
前記光ディスクに対して対物レンズから光を照射し情報の記録又は再生を行う光ヘッドと、
第１の発光素子から第１の受光素子に向かう光が遮断されることにより、前記光ディスクがディスク挿入口に挿入されたことを検出する挿入検出用光センサと、
前記挿入検出用光センサよりもディスク搬入方向の下流側に設けられ、第２の発光素子から第２の受光素子に向かう光が遮断されることにより、前記光ディスクが前記ディスク挿入口に排出されたことを検出する排出検出用光センサと、
を備える、光ディスク装置であって、
前記光ディスク装置は、前記光ディスクが前記ターンテーブル上に装着されたときに、前記第１の発光素子から前記第１の受光素子に向かう光が遮断され、前記第２の発光素子から前記第２の受光素子に向かう光が遮断されていないとき、前記光ディスクとしてレンズクリーナが前記ターンテーブル上に装着されたと認識し、クリーニング動作を行い、
前記レンズクリーナは、ディスク状に形成され、前記ターンテーブル上に装着されたときにおいて、前記第１の発光素子から前記第１の受光素子に向かう光を遮断する光遮断部と、前記第２の発光素子から前記第２の受光素子に向かう光を透過させる円環状の光透過部とを有し、
前記レンズクリーナが前記ターンテーブル上に装着されたとき、前記第２の発光素子から発光された光は、前記光透過部を透過して前記第２の受光素子に受光される、光ディスク装置。
【請求項２】
前記クリーニング動作は、前記ターンテーブルを回転させることにより、前記レンズクリーナに設けられた清掃部材を前記対物レンズに接触させて当該対物レンズを清掃する動作である、請求項１に記載の光ディスク装置。
【請求項３】
前記クリーニング動作は、前記光ヘッドを半径方向に往復搬送することにより、前記レンズクリーナに設けられた清掃部材に前記対物レンズを接触させて当該対物レンズを清掃する動作である、請求項１に記載の光ディスク装置。
【請求項４】
前記光ディスクが前記ターンテーブル上に装着されたことを検出する装着検出センサを備え、
前記装着検出センサが前記光ディスクが前記ターンテーブル上に装着されたことを検出したときに、前記第１の発光素子から前記第１の受光素子に向かう光が遮断され、前記第２の発光素子から前記第２の受光素子に向かう光が遮断されていないとき、前記光ディスクとしてレンズクリーナが前記ターンテーブル上に装着されたと認識し、クリーニング動作を行う、請求項１〜３のいずれか１つに記載の光ディスク装置。
【発明の詳細な説明】
【技術分野】
【０００１】
本発明は、ＣＤ（compact disc）やＤＶＤ（digital versatile disk）などの光ディスクに対して情報の記録又は再生を行う光ディスク装置に関し、特に、当該光ディスク装置が備える光ヘッドのレンズを清掃するレンズクリーナに関する。
【背景技術】
【０００２】
従来、この種の光ディスク装置は、光ディスクに対して情報の記録又は再生を行うために光を照射する光ヘッドを備えている。光ヘッドは、対物レンズから光を照射することにより、光ディスクに対して情報の記録を行う。また、光ヘッドは、対物レンズから光を照射し、光ディスクに反射された反射光を検出することにより、光ディスクに記録された情報の再生を行う。
【０００３】
この光ヘッドの対物レンズにゴミや埃が付着した場合、光を適切に照射することができず、光ディスクに対して情報の記録又は再生を行うことが困難になる。そこで、対物レンズを清掃するレンズクリーナに関する技術が、例えば、特許文献１（特開２０００−３３１４４７号公報）、特許文献２（特開２００３−２８８７３１号公報）に開示されている。
【０００４】
特許文献１には、ディスク状のレンズクリーナの表面にブラシなどの清掃部材を設け、当該レンズクリーナをターンテーブル上で回転させることにより、対物レンズを清掃する技術が開示されている。
【０００５】
特許文献２には、レンズクリーナに切欠部を設けて、レンズクリーナが搬入された際には光ディスクをターンテーブル上に装着するクランプ動作が行われないようにし、光ディスクが適切に搬入されなかったときに自動的に行われるリトライ動作を利用して、レンズクリーナを往復搬送し、当該レンズクリーナに設けた清掃部材により対物レンズを清掃する技術が開示されている。なお、リトライ動作とは、光ディスクの搬入動作完了までに要する時間（例えば２秒）を超えても搬入動作完了を検出できない場合に、一旦、光ディスクを装置内からディスク挿入口に排出した後、再度光ディスクを装置内に搬入する動作をいう。
【先行技術文献】
【特許文献】
【０００６】
【特許文献１】特開２０００−３３１４４７号公報
【特許文献２】特開２００３−２８８７３１号公報
【発明の概要】
【発明が解決しようとする課題】
【０００７】
特許文献１の技術では、対物レンズから光を照射し、レンズクリーナに反射された反射光を検出することにより、ターンテーブル上にレンズクリーナが装着されたことを確認し、レンズクリーナを回転させるようにしている。対物レンズが多少汚れていても、前記確認を行うことができる程度の前記反射光を検出することができれば、レンズクリーナを回転させて対物レンズの清掃を行うことができる。
【０００８】
しかしながら、対物レンズの汚れがひどく、前記反射光を検出することができない場合には、前記確認を行うことができない。前記確認が行われないとレンズクリーナは回転しない。従って、特許文献１の技術では、対物レンズの汚れがひどい場合には、対物レンズの清掃を行うことができない。
【０００９】
また、特許文献２の技術では、ターンテーブル上にレンズクリーナが装着されたことを認識することなく、リトライ動作を利用してレンズクリーナをディスク挿入方向に進退移動させることにより対物レンズを清掃するようにしている。一般的な光ディスク装置において、リトライ動作は、通常、１回〜数回程度行われるものである。すなわち、特許文献２の技術においては、レンズクリーナの清掃部材と対物レンズとを接触させるのは数回程度である。このため、対物レンズの汚れを十分に清掃することができない場合がある。特に、対物レンズの汚れがひどい場合には、対物レンズの汚れを十分に清掃することができない。
【００１０】
従って、本発明の目的は、前記課題を解決することにあって、対物レンズの汚れがひどい場合であっても、対物レンズの汚れをより確実に清掃することができる光ディスク装置を提供することにある。
【課題を解決するための手段】
【００１１】
前記目的を達成するために、本発明は以下のように構成する。
本発明の第１態様によれば、光ディスクを装着するターンテーブルを回転駆動するスピンドルモータと、
前記光ディスクに対して対物レンズから光を照射し情報の記録又は再生を行う光ヘッドと、
第１の発光素子から第１の受光素子に向かう光が遮断されることにより、前記光ディスクがディスク挿入口に挿入されたことを検出する挿入検出用光センサと、
前記挿入検出用光センサよりもディスク搬入方向の下流側に設けられ、第２発光素子から第２受光素子に向かう光が遮断されることにより、前記光ディスクが前記ディスク挿入口に排出されたことを検出する排出検出用光センサと、
を備える、光ディスク装置であって、
前記光ディスク装置は、前記光ディスクが前記ターンテーブル上に装着されたときに、前記第１の発光素子から前記第１の受光素子に向かう光が遮断され、前記第２発光素子から前記第２受光素子に向かう光が遮断されていないとき、前記光ディスクとしてレンズクリーナが前記ターンテーブル上に装着されたと認識し、クリーニング動作を行い、
前記レンズクリーナは、ディスク状に形成され、前記ターンテーブル上に装着されたときにおいて、前記第１の発光素子から前記第１の受光素子に向かう光を遮断する光遮断部と、前記第２の発光素子から前記第２の受光素子に向かう光を透過させる円環状の光透過部とを有し、
前記レンズクリーナが前記ターンテーブル上に装着されたとき、前記第２の発光素子から発光された光は、前記光透過部を透過して前記第２の受光素子に受光される、光ディスク装置を提供する。
【００１２】
本発明の第２態様によれば、前記クリーニング動作は、前記ターンテーブルを回転させることにより、前記レンズクリーナに設けられた清掃部材を前記対物レンズに接触させて当該対物レンズを清掃する動作である、第１態様に記載の光ディスク装置を提供する。
【００１３】
本発明の第３態様によれば、前記クリーニング動作は、前記光ヘッドを半径方向に往復搬送することにより、前記レンズクリーナに設けられた清掃部材に前記対物レンズを接触させて当該対物レンズを清掃する動作である、第１態様に記載の光ディスク装置を提供する。
【００１４】
本発明の第４態様によれば、前記光ディスクが前記ターンテーブル上に装着されたことを検出する装着検出センサを備え、
前記装着検出センサが前記光ディスクが前記ターンテーブル上に装着されたことを検出したときに、前記第１の発光素子から前記第１の受光素子に向かう光が遮断され、前記第２の発光素子から前記第２の受光素子に向かう光が遮断されていないとき、前記光ディスクとしてレンズクリーナが前記ターンテーブル上に装着されたと認識し、クリーニング動作を行う、第１〜３態様のいずれか１つに記載の光ディスク装置を提供する。
【発明の効果】
【００１７】
本発明にかかる光ディスク装置によれば、挿入検出用光センサと排出検出用光センサの検出情報に基づいて、ターンテーブル上にレンズクリーナが装着されたことを認識するようにしている。すなわち、本発明にかかる光ディスク装置では、特許文献１とは別の方法により、ターンテーブル上にレンズクリーナが装着されたことを認識するようにしている。従って、対物レンズの汚れがひどい場合であっても、ターンテーブルを回転させるなどのクリーニング動作を行うことができる。
【００１８】
また、本発明にかかる光ディスク装置によれば、ターンテーブル上にレンズクリーナが装着されたことを認識した上でクリーニング動作を行うようにしているので、対物レンズの汚れを清掃するのに最適なクリーニング動作を行うことができる。従って、対物レンズの汚れをより確実に清掃することができる。
【図面の簡単な説明】
【００１９】
本発明のこれらと他の目的と特徴は、添付された図面についての好ましい実施形態に関連した次の記述から明らかになる。この図面においては、
【図１】図１は、本発明の実施形態にかかる光ディスク装置を斜め上方から見た斜視図であり、
【図２】図２は、本発明の実施形態にかかる光ディスク装置を斜め下方から見た斜視図であり、
【図３】図３は、本発明の実施形態にかかる光ディスク装置の分解斜視図であり、
【図４】図４は、レンズクリーナの斜視図であり、
【図５】図５は、本発明の実施形態にかかる光ディスク装置のターンテーブル上にレンズクリーナを装着した状態を示す平面図であり、
【図６】図６は、本発明の実施形態にかかる光ディスク装置において、大径ディスク又は小径ディスクがディスク挿入口に挿入されたことをＦセンサ（挿入検出用光センサ）が検出するときの各部品の状態を示す上面図であり、
【図７】図７は、本発明の実施形態にかかる光ディスク装置において、大径ディスク又は小径ディスクがディスク挿入口に排出されたことをＢセンサ（排出検出用光センサ）が検出するときの各部品の状態を示す上面図であり、
【図８】図８は、本発明の実施形態にかかる光ディスク装置において、大径ディスク、小径ディスク、又はディスククリーナがターンテーブル上に装着された状態を斜め下方から見た斜視図であり、
【図９】図９は、本発明の実施形態にかかる光ディスク装置にレンズクリーナが搬送される途中の状態を示す斜視図であり、
【図１０】図１０は、レンズクリーナが光ヘッドの対物レンズを清掃する様子を示す説明図であり、
【図１１】図１１は、レンズクリーナが光ヘッドの対物レンズを清掃する様子を示す説明図であり、
【図１２】図１２は、大径ディスクの搬入時及び排出時のＦセンサ、Ｂセンサ、メカスイッチ（装着検出センサ）のＯＮ・ＯＦＦ状態を示すタイミングチャートであり、
【図１３】図１３は、小径ディスクの搬入時及び排出時のＦセンサ、Ｂセンサ、メカスイッチのＯＮ・ＯＦＦ状態を示すタイミングチャートであり、
【図１４】図１４は、レンズクリーナの搬入時及び排出時のＦセンサ、Ｂセンサ、メカスイッチのＯＮ・ＯＦＦ状態を示すタイミングチャートであり、
【図１５】図１５は、本発明の実施形態にかかる光ディスク装置の制御フローの一例を示すフローチャートである。
【発明を実施するための形態】
【００２０】
本発明の記述を続ける前に、添付図面において同じ部品については同じ参照符号を付している。
以下、本発明の実施形態について、図面を参照しながら説明する。
【００２１】
《実施形態》
本発明の実施形態にかかる光ディスク装置の全体構成について、図１〜図３を用いて説明する。図１は、本発明の実施形態にかかる光ディスク装置を斜め上方の斜視図であり、図２は、当該光ディスク装置を斜め下方から見た斜視図である。図３は、本発明の実施形態にかかる光ディスク装置の分解斜視図である。なお、ここでは、便宜上、図１の上側を光ディスク装置の上側とし、図１の下側を光ディスク装置の下側として説明するが、本発明はこれに限定されるものではない。例えば、光ディスク装置は９０°傾けて配置されてもよいものである。
【００２２】
本実施形態にかかる光ディスク装置は、トレイを用いずにＣＤ、ＤＶＤなどの光ディスクを記録再生位置に搬送するスロットイン方式のディスク装置である。図１〜図３において、本実施形態にかかる光ディスク装置は、各部品を保持するシャーシ（メカベースともいう）１を備えている。シャーシ１には、光ディスクを載置するターンテーブル２を回転駆動するスピンドルモータ３と、光ディスクに対して情報の記録又は再生を行う光ヘッド４と、光ヘッド４を光ディスクに対して半径方向（トラック方向ともいう）Ｘ１に搬送する光ヘッド搬送機構５とが設けられている。
【００２３】
光ヘッド４は、ターンテーブル２上に載置された光ディスクに対して対物レンズ４ａから光を照射することにより、光ディスクに情報の記録を行う。また、光ヘッド４は、ターンテーブル２上に載置された光ディスクに対して対物レンズ４ａから光を照射し、光ディスクに反射された反射光を検出することにより、光ディスクに記録された情報の再生を行う。光ヘッド４は、図２に示すように、ＦＰＣ（フレキシブルプリント基板）６を介してドライブ基板７と電気的に接続されている。ドライブ基板７には、光ヘッド４の搬送動作などの各種動作を制御するＬＳＩなどの電子部品が実装されている。
【００２４】
光ヘッド搬送機構５は、送りシャフト５ａと、送りシャフト５ａを回転駆動するトラバースモータ５ｂとを備えている。送りシャフト５ａには、螺旋状の溝が形成され、当該溝に光ヘッド４に一体的に設けられたナット板４ｂが嵌合している。トラバースモータ５ｂが送りシャフト５ａを回転駆動することにより、ナット板４ｂが送りシャフト５ａの長手方向に移動する。これにより、光ヘッド４が半径方向Ｘ１に搬送される。また、光ヘッド搬送機構５は、スイッチ基板５ｃを備えている。スイッチ基板５ｃには、アクチュエータ５ｄを備える装着検出センサの一例であるメカスイッチ５ｅが実装されている。メカスイッチ５ｅは、線材５ｆを介してドライブ基板７と電気的に接続されている。
【００２５】
また、シャーシ１には、ローラ８を回転可能に保持するローラレバー９と、ローラ８を回転させる駆動力を発生させるローディングモータ１０と、ローディングモータ１０の駆動力をローラ８に伝達するギア群１１とが設けられている。
【００２６】
ギア群１１は、シャーシ１の側壁に回転可能に軸支された複数のギアで構成されている。ローラ８上に光ディスクが接触した状態で、ローディングモータ１０の駆動力がギア群１１を介してローラ８に伝達されてローラ８が回転することにより、光ディスクはディスク搬送方向Ｘ２，Ｘ３に搬送される。
【００２７】
また、シャーシ１には、複数のレバーで構成されるレバー群１２と、カムロッド１３とが設けられている。
【００２８】
レバー群１２は、装置内に搬送される光ディスクの外縁部に接触して、当該光ディスクの中心穴がターンテーブル２の近傍に位置するように案内する。また、レバー群１２は、光ディスクの中心穴がターンテーブル２の近傍に位置すると、図示しないトリガー部材を介してカムロッド１３をディスク排出方向Ｘ３に移動させる。以下、このカムロッド１３の移動を「初期移動」という。
【００２９】
カムロッド１３は、シャーシ１に対してディスク搬送方向Ｘ２，Ｘ３に移動可能に設けられている。カムロッド１３がレバー群１２により初期移動されることにより、カムロッド１３に設けられたラック（図示せず）がギア群１１のうちの１つのギアと噛み合う。この状態でギア群１１にローディングモータ１０の駆動力が伝達され、ギア群１１の各ギアが回転することにより、カムロッド１３が更にディスク排出方向Ｘ３に移動する。このカムロッド１３の移動力を利用して、後述するクランプレバー１６が回動して光ディスクがターンテーブル２上に装着されるとともに、ローラレバー９が回動してローラ８が光ディスクから離れる。これにより、光ディスクを回転させ、光ディスクに対して情報の記録又は再生を行うことが可能になる。
【００３０】
また、カムロッド１３には、メカスイッチ５ｅのアクチュエータ５ｄと接触可能なリブ１３ａが設けられている。カムロッド１３がギア群１１の各ギアの回転によりディスク排出方向Ｘ３に移動するとき、リブ１３ａがアクチュエータ５ｄと接触し、アクチュエータ５ｄがＯＮ状態（電気的にショートした状態）になる。なお、リブ１３ａがアクチュエータ５ｄと接触していないとき、アクチュエータ５ｄはＯＦＦ状態にある。アクチュエータ５ｄのＯＮ・ＯＦＦ状態の情報は、線材５ｄを通じてドライブ基板７に伝達される。
【００３１】
ドライブ基板７には、光ディスクがディスク挿入口１７ａに排出されたことを検出する排出検出用光センサの一例である透過型フォトインタラプタの受光素子（第２受光素子）７ａが実装されている。また、ドライブ基板７には、線材７ｂを介してセンサ基板１４が接続されている。センサ基板１４には、光ディスクがディスク挿入口１７ａに挿入されたことを検出する挿入検出用光センサの一例である透過型フォトインタラプタの受光素子（第１の受光素子）１４ａが実装されている。ドライブ基板７とセンサ基板１４とは、複数のビス１５によりシャーシ１の底面に固定されている。
【００３２】
また、シャーシ１には、クランプレバー１６と、カバー１７と、サブベース１８とが設けられている。
【００３３】
クランプレバー１６は、光ディスクをターンテーブル２上にクランプするクランパ１６ａを回転可能に保持している。また、クランプレバー１６は、ディスク挿入方向Ｘ２の上流側の両端部に設けられた穴１６ｂを中心として回動可能に設けられている。光ディスクの中心穴がターンテーブル２の近傍に位置するように光ディスクが搬送されて、カムロッド１３がギア群１１の各ギアの回転によりディスク排出方向Ｘ３に移動するとき、当該カムロッド１３とクランプレバー１６とが係合して、クランプレバー１６が回動する。このクランプレバー１６の回動により、クランパ１６ａが光ディスクをターンテーブル２上にクランプする。なお、この状態からクランプレバー１６が反対方向に回動することにより、クランパ１６ａによる光ディスクのクランプ状態が解除され、光ディスクの搬送時にクランパ１６ａが光ディスクに接触しないように、クランパ１６ａが退避する。
【００３４】
クランプレバー１６の底面には、光ディスクの搬送方向Ｘ２，Ｘ３の搬送をガイドするガイド部材１６ｃが設けられている。光ディスクは、ローラ８とガイド部材１６ｃとの間で挟持された状態でローラ８が回転することにより搬送方向Ｘ２，Ｘ３に搬送される。
【００３５】
カバー１７は、クランプレバー１６よりも上方に設けられている。カバー１７には、光ディスクが挿入及び排出されるディスク挿入口１７ａが形成されている。カバー１７の上面には、センサ基板１９がビス１７ｂにより固定されている。
【００３６】
センサ基板１９には、センサ基板１４の受光素子１４ａと対向する位置に、挿入検出用光センサの一例である透過型フォトインタラプタの発光素子（第１の発光素子）１９ａが実装されている。また、センサ基板１９には、ドライブ基板７の受光素子７ａと対向する位置に、排出検出用光センサの一例である透過型フォトインタラプタの発光素子（第２発光素子）１９ｂが実装されている。
【００３７】
カバー１７とクランプレバー１６とシャーシ１には、発光素子１９ａの光が受光素子１４ａに受光されるように貫通穴１７ｂ，１６ｄ，１ｂが設けられている。また、カバー１７とクランプレバー１６とシャーシ１には、発光素子１９ｂの光が受光素子７ａに受光されるように貫通穴１７ｃ，１６ｅ，１ｃが設けられている。
【００３８】
以下、受光素子１４ａと発光素子１９ａとで構成される透過型フォトインタラプタをＦセンサ（ＦはＦｒｏｎｔの略）１４ａ，１９ａという。また、受光素子７ａと発光素子１９ｂとで構成される透過型フォトインタラプタをＢセンサ（ＢはＢａｃｋの略）７ａ，１９ｂという。
【００３９】
受光素子１４ａが発光素子１９ａの光を受光したとき、Ｆセンサ１４ａ，１９ａはＯＦＦ状態にある。また、受光素子１４ａが発光素子１９ａとの間に光ディスクが位置するなどして、受光素子１４ａが発光素子１９ａの光を受光しないとき、Ｆセンサ１４ａ，１９ａはＯＮ状態にある。同様に、受光素子７ａが発光素子１９ｂの光を受光したとき、Ｂセンサ７ａ，１９ｂはＯＦＦ状態にある。また、受光素子７ａが発光素子１９ｂとの間に光ディスクが位置するなどして、受光素子７ａが発光素子１９ｂの光を受光しないとき、Ｂセンサ７ａ，１９ｂはＯＮ状態にある。
【００４０】
また、センサ基板１９は、ＦＦＣ（フレキシブルフラットケーブル）１９ｃを介してドライブ基板７に電気的に接続されている。Ｆセンサ１４ａ，１９ａ及びＢセンサ７ａ，１９ｂのＯＮ・ＯＦＦ状態の情報は、ＦＦＣ１９ｃ及び線材７ｂを通じてドライブ基板７に伝達される。
【００４１】
サブベース１８は、レバー群１２よりも上方に設けられ、複数のビス１８ａによりシャーシ１に固定されている。サブベース１８の中央部は、光ディスクの搬送時において、光ディスクのガイドとしての役割がある。
【００４２】
次に、図４及び図５を用いて、光ヘッド４の対物レンズ４ａを清掃するレンズクリーナの構成について説明する。図４は、当該レンズクリーナの斜視図である。図５は、本実施形態にかかる光ディスク装置のターンテーブル２上にレンズクリーナ２０を装着した状態を示す平面図である。
【００４３】
図４において、レンズクリーナ２０は、ディスク状に形成されている。本実施形態において、レンズクリーナ２０は、大径ディスク（例えば、規格直径が１２ｃｍの光ディスク）とほぼ同じ形状及びサイズに形成されている。これにより、レンズクリーナ２０は、大径ディスクと同様にして光ディスク装置内に搬送可能である。レンズクリーナ２０には、中心穴２０ａが設けられている。中心穴２０ａの周囲には、Ｆセンサ１４ａ，１９ａ及びＢセンサ７ａ，１９ｂの光を遮断する円環状の第１の光遮断部２０ｂが設けられている。第１の光遮断部２０ｂの表面には、対物レンズ４ａを清掃する清掃部材の一例であるブラシ２０ｃが設けられている。第１の光遮断部２０ｂの周囲には、Ｆセンサ１４ａ，１９ａ及びＢセンサ７ａ，１９ｂの光を透過させる円環状の光透過部２０ｄが設けられている。光透過部２０ｄの周囲には、Ｆセンサ１４ａ，１９ａ及びＢセンサ７ａ，１９ｂの光を遮断する円環状の第２の光遮断部２０ｅが設けられている。
【００４４】
図５に示すように、光透過部２０ｄは、レンズクリーナ２０がターンテーブル２上に装着されたときにおいて、Ｂセンサ７ａ，１９ｂと対向する位置に設けられている。例えば、ターンテーブル２の中心からＢセンサ７ａ，１９ｂの中心までの距離Ｌ１が４４ｍｍのとき、光透過部２０ｄは、レンズクリーナ２０の中心からの距離が４１ｍｍ〜４８ｍｍの範囲に設けられている。
【００４５】
また、第２の光遮断部２０ｅは、レンズクリーナ２０がターンテーブル２上に装着されたときにおいて、Ｆセンサ１４ａ，１９ａと対向する位置に設けられている。例えば、ターンテーブル２の中心からＦセンサ１４ａ，１９ａの中心までの距離Ｌ２が５５ｍｍのとき、第２の光遮断部２０ｅは、レンズクリーナ２０の中心からの距離が４８ｍｍ〜６０ｍｍの範囲に設けられている。
【００４６】
なお、第１の光遮断部２０ｂ及び第２の光遮断部２０ｅは、ＣＤ、ＤＶＤ等の再生信号を有しない。
【００４７】
次に、図６〜図１４を用いて、本実施形態にかかる光ディスク装置の動作について説明する。なお、本実施形態にかかる光ディスク装置の各動作は、ドライブ基板７に実装されたＬＳＩなどの電子部品により制御される。
【００４８】
図６は、大径ディスク（例えば、規格直径が１２ｃｍの光ディスク）３０又は小径ディスク（例えば、規格直径が８ｃｍの光ディスク）４０がディスク挿入口１７ａに挿入されたことをＦセンサ１４ａ，１９ａが検出するときの各部品の状態を示す上面図である。図７は、大径ディスク３０又は小径ディスク４０がディスク挿入口１７ａに排出されたことをＢセンサ７ａ，１９ｂが検出するときの各部品の状態を示す上面図である。図８は、大径ディスク３０、小径ディスク４０、又はディスククリーナ２０がターンテーブル２上に装着された状態を斜め下方から見た斜視図である。図９は、本実施形態にかかる光ディスク装置にレンズクリーナ２０が搬送される途中の状態を示す斜視図である。図１０及び図１１は、レンズクリーナ２０が光ヘッド４の対物レンズ４ａを清掃する様子を示す説明図である。図１２は、大径ディスク３０の搬入時及び排出時のＦセンサ１４ａ，１９ａ、Ｂセンサ７ａ，１９ｂ、メカスイッチ５ｅのＯＮ・ＯＦＦ状態を示すタイミングチャートである。図１３は、小径ディスク４０の搬入時及び排出時のＦセンサ１４ａ，１９ａ、Ｂセンサ７ａ，１９ｂ、メカスイッチ５ｅのＯＮ・ＯＦＦ状態を示すタイミングチャートである。図１４は、レンズクリーナ２０の搬入時及び排出時のＦセンサ１４ａ，１９ａ、Ｂセンサ７ａ，１９ｂ、メカスイッチ５ｅのＯＮ・ＯＦＦ状態を示すタイミングチャートである。なお、図１２〜１４において、横軸は、ターンテーブル２の中心から大径ディスク３０、小径ディスク４０、又はレンズクリーナ２０の中心までの距離を示している。
【００４９】
まず、図３、図６、図８、及び図１２を参照しつつ、大径ディスク３０の搬入動作について説明する。
【００５０】
ディスク挿入口１７ａに大径ディスク３０が挿入され、大径ディスク３０がＦセンサ１４ａ，１９ａと対向する位置に到達すると、Ｆセンサ１４ａ，１９ａがＯＮ状態になる。これにより、ローディングモータ１０が駆動され、ローディングモータ１０の駆動力がギア群１１を介してローラ８に伝達されてローラ８が回転する。この状態で、更に大径ディスク３０が挿入されると、大径ディスク３０がローラ８とクランプレバー１６のガイド部材１６ｃとの間で挟持され、ディスク搬入方向Ｘ２に搬入される。
【００５１】
大径ディスク３０がディスク搬入方向Ｘ２に搬入されると、大径ディスク３０の外縁部がレバー群１２に接触して、当該レバー群１２により、大径ディスク３０は、中心穴３０ａがターンテーブル２の近傍に位置するように案内される。
【００５２】
大径ディスク３０の中心穴３０ａがターンテーブル２の近傍まで移動すると、レバー群１２がカムロッド１３を初期移動させる。当該初期移動により、カムロッド１３のラックが、ローディング１０の駆動力により回転するギア群１１のうちの１つのギアと噛み合い、カムロッド１３が更にディスク排出方向Ｘ３に移動する。
【００５３】
このカムロッド１３の移動により、クランプレバー１６が回動して大径ディスク３０がターンテーブル２上に装着されるとともに、ローラレバー９が回動してローラ８が大径ディスク３０から離れる。また、このタイミングで、図８に示すように、カムロッド１３のリブ１３ａがメカスイッチ５ｅのアクチュエータ５ｄに接触し、メカスイッチ５ｅがＯＮ状態になる。これにより、スピンドルモータ３が駆動されてターンテーブル２が回転し、大径ディスク３０に対して情報の記録又は再生が行われる。このとき、Ｆセンサ１４ａ，１９ａとＢセンサ７ａ，１９ｂとは、大径ディスク３０により光を遮断されるので、図１２に示すようにＯＮ状態にある。
【００５４】
次に、図３、図７、及び図１２を参照しつつ、大径ディスク３０の排出動作について説明する。
【００５５】
イジェクボタン（図示せず）が押されるなどして、大径ディスク３０の排出動作の開始が指示されると、ローディングモータ１０が搬入時とは逆方向に駆動される。このローディングモータ１０の逆駆動力は、ギア群１１を介してローラ８に伝達され、ローラ８が逆方向に回転する。また、カムロッド１３は、ローディングモータ１０の逆駆動力により逆方向に回転するギア群１１により、ディスク挿入方向Ｘ２に移動する。このカムロッド１３のディスク挿入方向Ｘ２の移動により、カムロット１３のリブ１３ａとメカスイッチ５ｅのアクチュエータ５ｄとが離れ、メカスイッチ５ｅがＯＦＦ状態になる。また、カムロッド１３のディスク挿入方向Ｘ２の移動により、クランプレバー１６が逆方向に回動して大径ディスク３０のターンテーブル２上での装着状態が解除されるとともに、ローラレバー９が逆方向に回動してローラ８が大径ディスク３０に接触する。これにより、大径ディスク３０が、ローラ８の逆方向の回転力を受けてディスク排出方向Ｘ３に搬送される。
【００５６】
大径ディスク３０がＢセンサ７ａ，１９ｂと対向する位置（図７参照）を通過すると、Ｂセンサ７ａ，１９ｂは、大径ディスク３０により光を遮断されないので、ＯＦＦ状態になる。これにより、ローディングモータ１０の逆方向の駆動が停止して、ローラ８の逆回転が停止する。その結果、大径ディスク３０は、Ｂセンサ７ａ，１９ｂがＯＦＦ状態になった位置から少しオーバーランした位置で、ローラ８とクランプレバー１６のガイド部材１６ｃとの間で挟持された状態で保持される。
【００５７】
次に、図３、図６、図８、及び図１３を参照しつつ、小径ディスク４０の搬入動作について説明する。
【００５８】
ディスク挿入口１７ａに小径ディスク４０が挿入され、小径ディスク４０がＦセンサ１４ａ，１９ａと対向する位置に到達すると、Ｆセンサ１４ａ，１９ａがＯＮ状態になる。これにより、ローディングモータ１０が駆動され、ローディングモータ１０の駆動力がギア群１１を介してローラ８に伝達されてローラ８が回転する。この状態で、更に小径ディスク４０が挿入されると、小径ディスク４０がローラ８とクランプレバー１６のガイド部材１６ｃとの間で挟持され、ディスク搬入方向Ｘ２に搬入される。
【００５９】
小径ディスク４０がディスク搬入方向Ｘ２に搬入されると、小径ディスク４０の外縁部がレバー群１２に接触して、当該レバー群１２により、小径ディスク４０は、中心穴３０ａがターンテーブル２の近傍に位置するように案内される。
【００６０】
小径ディスク４０の中心穴４０ａがターンテーブル２の近傍まで移動すると、レバー群１２がカムロッド１３を初期移動させる。当該初期移動により、カムロッド１３のラックが、ローディング１０の駆動力により回転するギア群１１のうちの１つのギアと噛み合い、カムロッド１３が更にディスク排出方向Ｘ３に移動する。
【００６１】
このカムロッド１３の移動により、クランプレバー１６が回動して小径ディスク４０がターンテーブル２上に装着されるとともに、ローラレバー９が回動してローラ８が小径ディスク４０から離れる。また、このタイミングで、図８に示すように、カムロッド１３のリブ１３ａがメカスイッチ５ｅのアクチュエータ５ｄに接触し、メカスイッチ５ｅがＯＮ状態になる。このとき、Ｆセンサ１４ａ，１９ａは、小径ディスク４０により光を遮断されず、図１３に示すようにＯＮ状態にある。一方、Ｂセンサ７ａ，１９ｂは、小径ディスク４０により光を遮断されるので、図１３に示すようにＯＮ状態にある。すなわち、大径ディスク３０をターンテーブル２上に装着した場合と、小径ディスク４０をターンテーブル２上に装着した場合とでは、Ｆセンサ１４ａ，１９ａのＯＮ・ＯＦＦ状態が異なる。このＦセンサ１４ａ，１９ａのＯＮ・ＯＦＦ状態を検出することにより、ターンテーブル２上に装着された光ディスクが、大径ディスク３０と小径ディスク４０のいずれであるかを認識することができる。当該認識結果に基づき、スピンドルモータ３が駆動されてターンテーブル２が回転し、小径ディスク４０に対して情報の記録又は再生が行われる。
【００６２】
次に、図３、図７、及び図１３を参照しつつ、小径ディスク４０の排出動作について説明する。
【００６３】
イジェクボタン（図示せず）が押されるなどして、小径ディスク４０の排出動作の開始が指示されると、ローディングモータ１０が搬入時とは逆方向に駆動される。このローディングモータ１０の逆駆動力は、ギア群１１を介してローラ８に伝達され、ローラ８が逆方向に回転する。また、カムロッド１３は、ローディングモータ１０の逆駆動力により逆方向に回転するギア群１１により、ディスク挿入方向Ｘ２に移動する。このカムロッド１３のディスク挿入方向Ｘ２の移動により、カムロット１３のリブ１３ａとメカスイッチ５ｅのアクチュエータ５ｄとが離れ、メカスイッチ５ｅがＯＦＦ状態になる。また、カムロッド１３のディスク挿入方向Ｘ２の移動により、クランプレバー１６が逆方向に回動して小径ディスク４０のターンテーブル２上での装着状態が解除されるとともに、ローラレバー９が逆方向に回動してローラ８が小径ディスク４０に接触する。これにより、小径ディスク４０が、ローラ８の逆方向の回転力を受けてディスク排出方向Ｘ３に搬送される。
【００６４】
小径ディスク４０がＢセンサ７ａ，１９ｂと対向する位置（図７参照）を通過すると、Ｂセンサ７ａ，１９ｂは、小径ディスク４０により光を遮断されないので、ＯＦＦ状態になる。これにより、ローディングモータ１０の逆方向の駆動が停止して、ローラ８の逆回転が停止する。その結果、小径ディスク４０は、Ｂセンサ７ａ，１９ｂがＯＦＦ状態になった位置から少しオーバーランした位置で、ローラ８とクランプレバー１６のガイド部材１６ｃとの間で挟持された状態で保持される。
【００６５】
なお、図６及び図７には、説明の便宜上、大径ディスク３０と小径ディスク４０の両方を記載したが、実際には、両ディスク３０，４０が同時に搬入又は排出されることはない。
【００６６】
次に、図３、図８、図９、及び図１４を参照しつつ、レンズクリーナ２０の搬入動作について説明する。
【００６７】
ディスク挿入口１７ａにレンズクリーナ２０が挿入され、レンズクリーナ２０の第２の光遮断部２０ｅがＦセンサ１４ａ，１９ａと対向する位置に到達すると、Ｆセンサ１４ａ，１９ａがＯＮ状態になる。これにより、ローディングモータ１０が駆動され、ローディングモータ１０の駆動力がギア群１１を介してローラ８に伝達されてローラ８が回転する。この状態で、更にレンズクリーナ２０が挿入されると、図９に示すように、レンズクリーナ２０がローラ８とクランプレバー１６のガイド部材１６ｃとの間で挟持され、ディスク搬入方向Ｘ２に搬入される。なお、この時点では、光ディスク装置は、当該装置内に搬入されるディスクが、大径ディスク３０、小径ディスク４０、レンズクリーナ２０のいずれであるかを認識していない。
【００６８】
レンズクリーナ２０がディスク搬入方向Ｘ２に搬入されると、レンズクリーナ２０の外縁部がレバー群１２に接触して、当該レバー群１２により、レンズクリーナ２０は、中心穴２０ａがターンテーブル２の近傍に位置するように案内される。
【００６９】
レンズクリーナ２０の中心穴３０ａがターンテーブル２の近傍まで移動すると、レバー群１２がカムロッド１３を初期移動させる。当該初期移動により、カムロッド１３のラックが、ローディング１０の駆動力により回転するギア群１１のうちの１つのギアと噛み合い、カムロッド１３が更にディスク排出方向Ｘ３に移動する。
【００７０】
このカムロッド１３の移動により、クランプレバー１６が回動してレンズクリーナ２０がターンテーブル２上に装着されるとともに、ローラレバー９が回動してローラ８がレンズクリーナ２０から離れる。また、このタイミングで、図８に示すように、カムロッド１３のリブ１３ａがメカスイッチ５ｅのアクチュエータ５ｄに接触し、メカスイッチ５ｅがＯＮ状態になる。このとき、Ｆセンサ１４ａ，１９ａは、レンズクリーナ２０の光透過部２０ｄにより光が透過するので、図１４に示すようにＯＮ状態にある。一方、Ｂセンサ７ａ，１９ｂは、レンズクリーナ２０の第２の光遮断部２０ｅにより光を遮断されるので、図１４に示すようにＯＦＦ状態にある。すなわち、大径ディスク３０及び小径ディスク４０をターンテーブル２上に装着した場合と、レンズクリーナ２０をターンテーブル２上に装着した場合とでは、Ｆセンサ１４ａ，１９ａ及びＢセンサ７ａ，１９ｂのＯＮ・ＯＦＦ状態が異なる。このＦセンサ１４ａ，１９ａ及びＢセンサ７ａ，１９ｂのＯＮ・ＯＦＦ状態を検出することにより、ターンテーブル２上に装着されたものが、大径ディスク３０と小径ディスク４０とレンズクリーナ２０のいずれであるかを認識することができる。本実施形態にかかる光ディスク装置は、ターンテーブル２上に装着されたものがレンズクリーナ２０であると認識した場合、レンズクリーナ２０のブラシ２０ｃにより、光ヘッド４の対物レンズ４ａのクリーニング動作を行うように構成されている。
【００７１】
次に、図２、図１０、及び図１１を参照しつつ、光ヘッド４の対物レンズ４ａのクリーリング動作の一例について説明する。
【００７２】
レンズクリーナ２０がターンテーブル２０上に装着され、メカスイッチ５ｅがＯＦＦ状態からＯＮ状態に切り替わると、スピンドルモータ３が駆動されてターンテーブル２が回転する。このとき、光ヘッド４の対物レンズ４ａは、レンズクリーナ２０のブラシ２０ｃの回転軌跡２０ｆ内から離れて位置する。なお、シャーシ１には、ブラシ２０ｃの回転軌跡２０ｆと対向する位置に、ブラシ２０ｃとの接触を避けるための溝１ｄが設けられている。
【００７３】
ターンテーブル２上に装着されたレンズクリーナ２０の回転数が所定の回転数に達すると、トラバースモータ５ｂが駆動され、送りシャフト５ａが回転する（図２参照）。これにより、光ヘッド２が半径方向Ｘ１に移動し、図１１に示すように、対物レンズ４ａがブラシ２０ｃの回転軌跡２０ｆ上に移動する。その結果、ブラシ２０ｃが対物レンズ４ａに接触し、対物レンズ４ａが清掃される。
【００７４】
なお、光ヘッド４の対物レンズ４ａのクリーニング動作は、前記動作に限定されるものではなく、種々の態様で実施できる。例えば、対物レンズ４ａをブラシ２０ｃの回転軌跡２０ｆ内に移動させた後、レンズクリーナ２０を回転させるようにしてもよい。なお、特許文献２の光ディスク装置においては、リトライ動作を利用してレンズクリーナの清掃部材をディスク搬入方向に進退移動させることにより、対物レンズを清掃するようにしているので、清掃部材は一方向にしか移動しない。このため、清掃部材と対物レンズとが互いに接触するように、対物レンズを装置の幅方向に調整する必要がある。また、清掃部材とターンテーブルとが干渉しないように、ディスク搬入方向においてターンテーブルの後方に対物レンズを配置することができないという制約がある。これに対して、本実施形態にかかる光ディスク装置によれば、レンズクリーナ２０を回転させることにより対物レンズ４ａを清掃するようにしているので、ターンテーブル２の後方に対物レンズ４ａを配置することができる。
【００７５】
また、レンズクリーナ２０のブラシ２０ｃを対物レンズ４ａの移動軌跡内に配置した後、ブラシ２０ｃを移動させずに、対物レンズ４ａを移動させることで、対物レンズ４ａの清掃を行うようにしてもよい。光ヘッド４を往復搬送することは、リトライ動作により光ディスクを往復搬送する場合に比べて、ストロークが短く容易である。また、光ヘッド４を数十回以上往復搬送することも容易に行うことができる。従って、対物レンズ４ａの汚れをより確実に清掃することができる。なお、この場合、ブラシ２０は、図４に示すようにレンズクリーナ２０の半径方向に延在するように設けられるのではなく、円周方向に延在するように設けられることが好ましい。これにより、ブラシ２０ｃの位置を気にすることなく、ブラシ２０ｃと対物レンズ４ａとを容易に接触させることができる。
【００７６】
次に、図３、図９、及び図１４を参照しつつ、レンズクリーナ２０の排出動作について説明する。
【００７７】
イジェクボタン（図示せず）が押されるなどして、レンズクリーナ２０の排出動作の開始が指示されると、ローディングモータ１０が搬入時とは逆方向に駆動される。このローディングモータ１０の逆駆動力は、ギア群１１を介してローラ８に伝達され、ローラ８が逆方向に回転する。また、カムロッド１３は、ローディングモータ１０の逆駆動力により逆方向に回転するギア群１１により、ディスク挿入方向Ｘ２に移動する。このカムロッド１３のディスク挿入方向Ｘ２の移動により、カムロット１３のリブ１３ａとメカスイッチ５ｅのアクチュエータ５ｄとが離れ、メカスイッチ５ｅがＯＦＦ状態になる。また、カムロッド１３のディスク挿入方向Ｘ２の移動により、クランプレバー１６が逆方向に回動してレンズクリーナ２０のターンテーブル２上での装着状態が解除されるとともに、ローラレバー９が逆方向に回動してローラ８がレンズクリーナ２０に接触する。これにより、レンズクリーナ２０が、ローラ８の逆方向の回転力を受けてディスク排出方向Ｘ３に搬送される。
【００７８】
レンズクリーナ２０がＢセンサ７ａ，１９ｂと対向する位置（図７参照）を通過すると、Ｂセンサ７ａ，１９ｂは、レンズクリーナ２０により光を遮断されないので、ＯＦＦ状態になる。これにより、ローディングモータ１０の逆方向の駆動が停止して、ローラ８の逆回転が停止する。その結果、レンズクリーナ２０は、Ｂセンサ７ａ，１９ｂがＯＦＦ状態になった位置から少しオーバーランした位置で、ローラ８とクランプレバー１６のガイド部材１６ｃとの間で挟持された状態で保持される。
【００７９】
なお、図１２〜図１４に示すように、大径ディスク３０、小径ディスク４０、レンズクリーナ２０のいずれの排出動作においても、Ｂセンサ７ａ，１９ｂがＯＦＦ状態からＯＮ状態に切り替わったタイミングでローディングモータ１０の駆動を停止するようにしている。本実施形態においては、レンズクリーナ２０の光透過部２０ｄを円環状に形成しているため、レンズクリーナ２０の光透過部２０ｄがＢセンサ７ａ，１９ｂを通過するときにも、図１４に示すようにＢセンサ７ａ，１９ｂがＯＦＦ状態からＯＮ状態に切り替わる。このタイミングで、ローディングモータ１０の駆動を停止すると、レンズクリーナ２０が所定の排出位置よりも手前で停止し、レンズクリーナ２０が取り出しにくくなる。
【００８０】
このため、例えば、レンズクリーナ２０の光透過部２０ｄがＢセンサ７ａ，１９ｂを通過すると想定される期間は、Ｂセンサ７ａ，１９ｂのＯＮ・ＯＦＦ状態を認識しないようにすることが好ましい。これにより、レンズクリーナ２０を大径ディスク３０と同様の排出位置に排出することができる。
【００８１】
また、本実施形態では、レンズクリーナ２０の光透過部２０ｄがＢセンサ１４ａ，１９ａと対向する位置に移動してＢセンサ１４ａ，１９ａがＯＦＦ状態になるとき、Ｆセンサ１４ａ，１９ｂはＯＮ状態のままである。一方、レンズクリーナ２０の全体がＢセンサ７ａ，１９ｂを通過してＢセンサ７ａ，１９ｂがＯＦＦ状態になるとき、レンズクリーナ２０の光透過部２０ｄがＦセンサ７ａ，１９ｂと対向する位置に移動してＦセンサ７ａ，１９ｂがＯＦＦ状態になる。このため、レンズクリーナ２０の排出時において、Ｆセンサ７ａ，１９ｂとＢセンサ１４ａ，１９ａの両方がＯＦＦ状態になったとき、ローディングモータ１０の駆動を停止するようにしてもよい。これにより、レンズクリーナ２０を大径ディスク３０と同様の排出位置に排出することができる。
【００８２】
次に、図１５を用いて、本実施形態にかかる光ディスク装置の制御フローの一例について説明する。
【００８３】
まず、ディスク挿入口１７ａに、大径ディスク３０、小径ディスク４０、レンズクリーナ２０、その他の異物のいずれか挿入され、Ｆセンサ１４ａ，１９ａがＯＮ状態になる（ステップＳ１）と、ディスク搬入動作を開始する（ステップＳ２）。
【００８４】
次いで、メカスイッチ５ｅが所定時間（例えば、３秒）内にＯＮ状態になるか否か検出する（ステップＳ３、Ｓ４）。メカスイッチ５ｅが所定時間を経過してもＯＦＦ状態である場合には、何らかの異常が発生したと考えられるため、ディスク排出動作を行う（ステップＳ５）。一方、メカスイッチ５ｅが所定時間内にＯＮ状態になった場合は、ディスク搬入動作を停止する（ステップＳ６）。
【００８５】
次いで、Ｆセンサ１４ａ，１９ａとＢセンサ７ａ，１９ｂのＯＮ・ＯＦＦ状態を検出する（ステップＳ７〜Ｓ９）。
【００８６】
Ｆセンサ１４ａ，１９ａがＯＦＦ状態であり且つＢセンサ７ａ，１９ｂがＯＦＦ状態であるとき、異物が装置内に進入したと認識する（ステップＳ１０）。この場合にクリーニング動作を行うと、当該異物によりターンテーブル２や対物レンズ４ａなどの部品を傷つけるおそれがある。このため、異物が装置内に進入したと認識した場合には、クリーニング動作は行わない。
【００８７】
Ｆセンサ１４ａ，１９ａがＯＦＦ状態であり且つＢセンサ７ａ，１９ｂがＯＮ状態であるとき、ターンテーブル２上に小径ディスク４０が装着されていると認識する（ステップＳ１１）。当該認識後、スピンドルモータ３を駆動してターンテーブル２を回転させ、小径ディスク４０に対して情報の記録又は再生を行う。
【００８８】
Ｆセンサ１４ａ，１９ａがＯＮ状態であり且つＢセンサ７ａ，１９ｂがＯＮ状態であるとき、ターンテーブル２上に大径ディスク３０が装着されていると認識する（ステップＳ１２）。当該認識後、スピンドルモータ３を駆動してターンテーブル２を回転させ、大径ディスク３０に対して情報の記録又は再生を行う。
【００８９】
Ｆセンサ１４ａ，１９ａがＯＮ状態であり且つＢセンサ７ａ，１９ｂがＯＦＦ状態であるとき、ターンテーブル２上にレンズクリーナ２０が装着されていると認識する（ステップＳ１３）。当該認識後、前述したクリーニング動作を行う。
【００９０】
本実施形態にかかる光ディスク装置によれば、Ｆセンサ１４ａ，１９ａとＢセンサ７ａ，１９ａのＯＮ・ＯＦＦ状態に基づいて、ターンテーブル２上にレンズクリーナ２０が装着されたことを認識するようにしている。すなわち、本実施形態にかかる光ディスク装置では、特許文献１とは別の方法により、ターンテーブル２上にレンズクリーナ２０が装着されたことを認識するようにしている。従って、対物レンズ４ａの汚れがひどい場合であっても、ターンテーブル２を回転させるなどのクリーニング動作を行うことができる。
【００９１】
また、本実施形態にかかる光ディスク装置によれば、ターンテーブル２上にレンズクリーナ２０が装着されたことを認識した上でクリーニング動作を行うようにしているので、対物レンズ４ａの汚れを清掃するのに最適なクリーニング動作を行うことができる。従って、対物レンズ４ａの汚れをより確実に清掃することができる。
【００９２】
また、本実施形態にかかる光ディスク装置によれば、レンズクリーナ２０の光透過部２０ｄを円環状に形成しているので、レンズクリーナ２０をどの位置からディスク挿入口１７ａに挿入するか注意することなく、光透過部２０ｄをＢセンサ７ａ，１９ｂと対向する位置に位置させることができる。なお、レンズクリーナ２０の光透過部２０ｄは、円環状に形成されることに限定されるものではなく、レンズクリーナ２０がターンテーブル２状に装着された際にＢセンサ７ａ，１９ｂと対向する位置に位置するように形成されていればよい。
【００９３】
なお、本発明は前記実施形態に限定されるものではなく、その他種々の態様で実施できる。例えば、前記では、光ディスクがターンテーブル２上に装着されたことを検出する装着検出センサの一例としてメカスイッチ５ｅについて説明したが、本発明はこれに限定されない。例えば、装着検出センサは、フォトインタラプタなどの光センサであってもよい。また、Ｆセンサ１４ａ，１９ａがＯＮ状態になってから所定時間経過後に（光ディスクがターンテーブル２上に装着されるタイミングで）ローディングモータ１０をＯＦＦするようにしてもよい。この場合、メカスイッチ５ｅを設ける必要性を無くすことができる。
【００９４】
本発明は、添付図面を参照しながら好ましい実施の形態に関連して充分に記載されているが、この技術に熟練した人々にとっては種々の変形や修正は明白である。そのような変形や修正は、添付した請求の範囲による本発明の範囲から外れない限りにおいて、その中に含まれると理解されるべきである。
【産業上の利用可能性】
【００９５】
本発明にかかる光ディスク装置は、対物レンズの汚れがひどい場合であっても、対物レンズの汚れをより確実に清掃することができるので、特に対物レンズに汚れが付着しやすい環境下で使用される光ディスク装置に有用である。
【図１】
0005874006.tif 000002
【図２】
0005874006.tif 000003
【図３】
0005874006.tif 000004
【図４】
0005874006.tif 000005
【図５】
0005874006.tif 000006
【図６】
0005874006.tif 000007
【図７】
0005874006.tif 000008
【図８】
0005874006.tif 000009
【図９】
0005874006.tif 000010
【図１０】
0005874006.tif 000011
【図１１】
0005874006.tif 000012
【図１２】
0005874006.tif 000013
【図１３】
0005874006.tif 000014
【図１４】
0005874006.tif 000015
【図１５】
0005874006.tif 000016